Podtech/llm-jp-corpus-v4-ja_patent huggingface dataset:
(57)【要約】【課題】  ブドー栽培に用いられるかまぼこ型の連棟ビニールハウスの雪による倒壊を防ぐためにハウスの谷部に窓を開け、この開口窓から雪を落すことで、この窓の開口を簡単に行うことのできる支持具を提供する。【解決手段】  棒状体の両端に２又を設け、ハウス谷部のビニールシートを捲き上げ、この捲き上げたシートを支持棒の一方の２又で止め、他方の２又をハウスの骨組で支えることよって、安全に簡単に開口でき、雪の対策に加えて温度調節や太陽光の採光にも効果がある。【選択図】  図１
0003102479.tif 000002
【実用新案登録請求の範囲】
【請求項１】
金属製の棒状体（１）の両端にＵ字状又はＶ字状の２又部（２），（２）を形成して止め具としたことを特徴としたかまぼこ型連棟ビニールハウスＡの谷側シート開帳支持具。
【請求項２】
２又部（２）の先端に懸り下げ用のフック（３）を設ける請求項１に記載のかまぼこ型連棟ビニールハウスの谷側シート開帳支持具。
【考案の詳細な説明】
【技術分野】
【０００１】  本考案は、ブドー栽培等において見られるかまぼこ型連棟ビニールハウスの谷側シートの開帳支持具に関する。
【背景技術】
【０００２】  従来、キュウリやトマト又はサクランボ栽培に用いられているビニールハウスは単棟式のハウスが主で、温度調節等の目的で窓の開閉を行うが、ギヤーを用いてのシートの捲き上げ式や扉の開閉であって操作は簡単であった。【０００３】  又ブドー栽培の場合では、その殆どが添付図面第４図に示すようなかまぼこ型連棟式のビニールハウスが多く、この連棟式のビニールハウスは頂部に山谷部が形成しているため、採光や温度調節の目的で谷部においてビニールシートの開閉が行われる。
【特許文献１】  特開昭５５−７１４２３号公報
【特許文献２】  実開昭６２−１８１１４０号公報
【考案の開示】
【考案が解決しようとする課題】
【０００４】  ブドー栽培等における連棟型のビニールハウスは平坦地もあるが、傾斜地や扇状地が比較的多く、ハウス自体が上下したり、うねったりした状態で形成されている。【０００５】  そして、この連棟式のビニールハウスの場合には、採光や換気のための窓開け（ビニールシートの開帳）は勿論であるが、多雪地方では積雪がハウスの谷部に滑り落ちて溜り、この重みでハウスが倒壊するという被害が多く見られる。そしてこの雪害対策としては、ハウスの谷部に窓を開け、この窓から雪を落してハウスの倒壊を防止する手段が有効である。
【課題を解決するための手段】
【０００６】  一般にこの種の連棟ハウスの谷部の窓開け操作にあっては、前記公知文献に示されているように、ギヤーの回転によってビニールシートを捲き上げる構造であるが、ブドー栽培のような傾斜地や扇状地の場合では、ハウス自体が上下や左右にうねっている場所が多く、ギヤー構造とすることが困難である。【０００７】  このため一般の栽培者はハウスの上に登って手作業でビニールシート端を持って捲き上げシートの開帳を行っているが、高所で片手で体を支え、片手で開帳作業を行うためきわめて危険が伴なう。【０００８】  この点に鑑み考案者は鋭意研究を重ねた結果本考案に到達したものであって、本考案は両端に２又を設けた金属棒を用い、ハウスの棟上に登ることなく、ハウスの側面から立姿でビニールシート端を捲き上げて、この２又の金属棒を使用して一方の２又でこれを支え、他端の２又をハウス下段のパイプに支持させることによって、簡単にしかも危険を伴うことなくビニールシートの開帳に成功したものである。
【考案の効果】
【０００９】  上述のように本考案は、２又を設けた支持具を用いることによって、連棟型ビニールハウスの谷部のシート端を開帳することによって窓を形成して多雪地方での連棟型ビニールハウスの雪害に対しての管理対策を容易にし、また気温や天候の変化に対しても迅速に対応できるためブドー栽培に大いに貢献できる。
【考案を実施するための最良の形態】
【００１０】  本考案は、両端に２又を設けた棒状の２又支持具のみの使用で、連棟ビニールハウスの谷部の開帳作業が安全に、簡単に行うことができる。
【実施例】
【００１１】  添付図面により本考案の実施例を説明すると、図１は連棟ビニールハウスＡの谷部Ｂの詳細図であって、ハウスＡは高さを決める主パイプ（１０）、保強パイプ（１３）、棚受けパイプ（１５）及び曲面を形成する棟パイプ（１４）等により骨組が形成され、これにビニールシート（５）を覆ってハウスを構成する。そして、この連棟ビニールハウスＡの谷部のビニールシート（５）の端を捲き上げて開帳部（窓）Ｃを形成するものである。【００１２】  図２は金属製の棒状体の両端に２又（２），（２）を設けた支持具（１）の平面図であって、全体は金属製であるが、これに限ることなく合成樹脂製であっても木製であってもよいが、捲き上げたビニールシートの重みに耐える強度を要する。【００１３】  この支持具（１）の両端の２又はＵ字状であってもＶ字状であっても形状は問わない。図３の拡大図を参照して、２又（２）の先端には鉤形のフック（３）を設け、支持具（１）を使用しないときはハウス内の張線に鉤（３）を利用して引っ掛けて保管しておくことをよしとする。【００１４】  図４はかまぼこ型連棟ビニールハウスの概略を示す斜視図であって、ブドー棚の全体に掛けられているため大雪などで倒壊することがしばしば起る危険がある。
【産業上の利用可能性】
【００１５】  本考案は、雪害に対しての連棟ビニールハウスの管理およびハウス内の温度調節や太陽光の採光作業が容易となり簡便安価である点、利用価値はきわめて大きい。
【図面の簡単な説明】
【００１６】
【図１】  連棟ビニールハウスの要部説明図
【図２】  ２又支持具の正面図
【図３】  ２又部の拡大詳細図
【図４】  連棟ビニールハウスの概略図
【符号の説明】
【００１７】      （１）…２又支持具
（２）…２又部（Ｕ字状又はＶ字状）
（３）…棚掛けフック
（５）…ビニールシート
（１０）…主パイプ柱
（１２）…棚受けパイプ
（１３）…保強パイプ
（１４）…棟パイプ
（１５）…谷パイプ
Ａ…連棟ビニールハウス
Ｂ…谷部
Ｃ…開帳部（窓）
【図１】
0003102479.tif 000003
【図２】
0003102479.tif 000004
【図３】
0003102479.tif 000005
【図４】
0003102479.tif 000006
(57)【要約】【課題】この考案は、椅子などの上に置いてダイエットの目的や体調を整えるために使用する、空気の出し入れが簡単に出来る空気調節可能健康エアークッションを提供する。【解決手段】直鎖状低密度ポリエチレンフィルムからなる外皮Ａ（１）と同形のＰＥＴ製アルミ箔からなる外皮Ｂ（２）を縁部分（４）で溶着し、縁部分（４）の１箇所に空気の出し入れをする逆止弁（３）を設けたことを特徴とする空気調節可能健康エアークッション。【選択図】図１
0003102478.tif 000002
【実用新案登録請求の範囲】
【請求項１】
直鎖状低密度ポリエチレンフィルムからなる外皮Ａ（１）と同形のＰＥＴ製アルミ箔からなる外皮Ｂ（２）を縁部分（４）で溶着し、縁部分（４）の１箇所に空気の出し入れをする逆止弁（３）を設けたことを特徴とする空気調節可能健康エアークッション。
【考案の詳細な説明】
【考案の詳細な説明】
【技術分野】
【０００１】  この考案は、椅子などの上に置いてダイエットの目的や体調を整えるために使用するエアークッションで、空気の出し入れが簡単に出来る空気調節可能エアークッションに関する。
【背景技術】
【０００２】  従来一般に市販されているダイエット目的のエアークッションには空気の出し入れ出来るものはなく（特許文献１参照）、すぐに空気は抜けないような構造にはなっているものの長期にわたって使用していくうちに空気が自然に抜けていくのを止める手立てはなかった。従って空気が抜けてしまうと使用出来ないものが多かった。【０００３】
【特許文献１】  実用新案登録番号：第３０４２８７７号、登録日：１９９７年８月１３日  実用新案権者：白石  誠  考案者：白石  誠  考案の名称：エアクッション
【考案が解決しようとする課題】
【０００４】  従って使用していくうちに空気が抜けてしまえば初期の目的のダイエットを達成することなくクッションとして用を為さないばかりか、ゴミとして処分するしかなく資源の有効利用の面からも繰り返し使用出来るものが求められていた。
【課題を解決するための手段】
【０００５】  直鎖状低密度ポリエチレンフィルムからなる外皮Ａ（１）と同形のＰＥＴ製アルミ箔からなる外皮Ｂ（２）を縁部分（４）で溶着し、縁部分（４）の１箇所に空気の出し入れをする逆止弁（３）を設ける。
【考案の効果】
【０００６】  本考案を使用することによって、市販中のダイエット用クッションとは違い、空気が抜けても何回でも空気を注入することが出来、経済的であり無駄なゴミを出すこともなく環境に適応した商品ということが出来る。空気を抜いた状態であれば持ち歩く事も可能であり色々な所へ持ち運ぶことも容易でありストローがあればどこででも使用することが出来る。
又、本考案を使用することによってダイエット効果のみならず、お腹の筋肉を引き締めると同時に尿失禁の解消にも役立たせることが出来るので病後の人や高齢者の方にも効果がある汎用性が高い商品であるということが出来る。
【考案を実施するための最良の形態】
【０００７】  以下本考案の実施の形態について図面に基づいて説明する。
図１は本考案の空気調節可能健康エアークッションの平面図である。
空気の密封性が強くて溶着強度もある直鎖状低密度ポリエチレンフィルムでなした外皮Ａ（１）と、同様に空気の遮断性に優れ遮光性を持ち装飾効果もあるＰＥＴ製アルミ箔を同形になした外皮Ｂ（２）を縁部分（４）で熱溶着し、縁部分（４）の１箇所にプラスチックフィルムを重ねあわせてなる逆止弁（３）を設ける。【０００８】  本考案は以上の構成からなり、これを使用するときは逆止弁（３）にストロー（５）を差し込んで空気を注入する。空気を入れ過ぎた場合は同様にストロー（５）を差し込んでクッションの中央を押せば空気を抜くことが出来る。
使い方はごく簡単で適当量空気を入れて本考案の空気調節可能健康エアークッションの上に座るだけである。
【図面の簡単な説明】
【０００９】
【図１】  本考案の平面図
【符号の説明】
（１）        外皮Ａ
（２）        外皮Ｂ
（３）        逆止弁
（４）        縁部分
（５）        ストロー
【図１】
0003102478.tif 000003
(57)【要約】【課題】  ジュース分と破砕物が混合された状態で得られる野菜，果物等の破砕器を提供する。【解決手段】  駆動モーターを内蔵した本体の上面のほぼ中心部に駆動接続部が突出し、前記本体の上面外周から周壁が立ち上がり、該周壁の一部が切欠かれて出口となり、該出口に対応した出口を持つ環状の処理室壁が前記本体の周壁に嵌合されてその内側に処理室が構成される。前記駆動接続部にグレイターと皿体からなる回転体が着脱自在に取り付けられ、前記処理室壁の上側にカバーが着脱自在に取り付けられる。該カバーの供給口に材料が投入され、プッシャーで押し込まれる。前記回転体の皿体は上側に広がる円錐面を持ち、処理された破砕物とジュース分が遠心力により上方に移動し、前記両出口を経てコレクターに収容される。【選択図】        図４
0003102475.tif 000002
【実用新案登録請求の範囲】
【請求項１】
駆動モーターを内蔵した本体の上面のほぼ中心部に駆動接続部が突出し、前記本体の上面外周から周壁が立ち上がり、該周壁の一部が切欠かれて出口となり、該出口に対応した出口を持つ環状の処理室壁が前記本体の周壁に嵌合されてその内側に処理室が構成され、前記駆動接続部にグレイターと皿体からなる回転体が着脱自在に取り付けられ、前記処理室壁の上側にカバーが着脱自在に取り付けられ、該カバーの供給口に材料が投入され、プッシャーで押し込むようにした野菜・果物等の破砕器において、
前記回転体の皿体は上側に広がる円錐面を持ち、処理された破砕物とジュース分が遠心力により上方に移動し、前記両出口を経てコレクターに収容されるようにしたことを特徴とする野菜・果物等の破砕器。
【考案の詳細な説明】
【技術分野】
【０００１】
本考案は、野菜，果物等の破砕器に関するものである。
【背景技術】
【０００２】
従来のこの種の破砕器は次のようなものであった。即ち、駆動モーターを内蔵した本体の上面のほぼ中心部に駆動接続部が突出し、前記本体の上面外周から周壁が立ち上がり、該周壁の一部が切欠かれて出口となる。該出口に対応した出口を持つ環状の処理室壁が前記本体の周壁に嵌合されて、その内側に処理室が構成される。
【０００３】
前記駆動接続部にグレイターと皿体からなる回転体が着脱自在に取り付けられる。前記処理室壁の上側にカバーが着脱自在に取り付けられる。そして、前記カバーの供給口に材料が投入され、プッシャーで押し込むようにしたものである。
【０００４】
ここで、前記回転体の皿体は、上側に広がる円錐面を持つ多孔板からなる。そして、処理された破砕物は遠心力により上方に移動し、前記両出口を経てコレクターに収容される。他方、ジュース分は多孔皿体の孔から遠心力で出て行き、ジューススパウトを経てジュースジャーに集められる。
【考案の開示】
【考案が解決しようとする課題】
【０００５】
このような従来技術では、外孔皿体により、ジュース分と破砕物とが分離されてしまう。従って、例えば、大根おろしのようなジュース分と破砕物とが混合された状態のものを得ることができなかった。
本考案は、上記課題を解決し、ジュース分と破砕物が混合された状態で得られる野菜，果物等の破砕器を提供することを目的とする。
【課題を解決するための手段】
【０００６】
本考案は、駆動モーターを内蔵した本体の上面のほぼ中心部に駆動接続部が突出し、前記本体の上面外周から周壁が立ち上がり、該周壁の一部が切欠かれて出口となり、該出口に対応した出口を持つ環状の処理室壁が前記本体の周壁に嵌合されてその内側に処理室が構成され、前記駆動接続部にグレイターと皿体からなる回転体が着脱自在に取り付けられ、前記処理室壁の上側にカバーが着脱自在に取り付けられ、該カバーの供給口に材料が投入され、プッシャーで押し込むようにした野菜・果物等の破砕器において、前記回転体の皿体は上側に広がる円錐面を持ち、処理された破砕物とジュース分が遠心力により上方に移動し、前記両出口を経てコレクターに収容されるようにしたことを特徴としている。
【考案の効果】
【０００７】
本考案により、ジュース分と破砕物が混合された状態で得られることとなった。
【考案を実施するための最良の形態】
【０００８】
以下に、本考案の実施態様を一実施例に基づき説明する。図１，３において、駆動モーターを内蔵した本体１の上面のほぼ中心部に駆動接続部２が突出し、前記本体の上面外周から周壁３が立ち上がり、該周壁の一部が切欠かれて出口３ａとなる。３ｂは排液口である。
【０００９】
図３，４において、前記出口３ａに対応した出口４ａを持つ環状の処理室壁４が、前記本体の周壁３の内側に嵌合されて、その内側に処理室が構成される。前記駆動接続部２にグレイター（おろし部材）５ａと皿体５ｂからなる回転体５が着脱自在に取り付けられる。前記回転体の皿体５ｂは上側に広がる円錐面（無孔）を持つ。周壁３の内側の底面には前記排液口３ｂが設けられ、これに連通する排液パイプ１０と、その下側に排液受け１１が設けられる（図１）。そして、皿体５ｂから漏れ出た液体が排出される。
【００１０】
図２，４において、前記処理室壁４の上側にカバー６が着脱自在に取り付けられる。該カバー６において、外壁の天板部には、上下に貫通した管状の供給口６ａが一体形成され、それを囲み、かつ、前記処理室壁４の内側に嵌まる内壁６ｂと、その一部が切欠かれてその半径方向の外側に一体形成された出口部６ｃとよりなる。そして、この出口部が前記処理室壁の出口４ａに対応する。前記カバー６の上側で供給トレー７が、前記供給口６ａを貫通させて載置される。そして、このトレー７に野菜，果物等が載せられる。
【００１１】
以上において使用（作動）状態を説明する。先ず、トレー７に野菜，果物等の材料Ａ（供給口６ａに入る程度の大きさのものや、そのように切断されたものなど）が載せられる。次に、電源ＯＮとして駆動モーターを回転させて、グレイター５ａと皿体５ｂを高速回転させる。そして、カバー６の供給口６ａに材料Ａを投入し、使用者の手で持ったプッシャー８で押し込む。（図１では大根の切断片Ａが示されている）
【００１２】
野菜・果物等はグレイター５ａで粉砕され、粉砕処理された破砕物とジュース（液体）分は皿体５ｂの遠心力により上方に移動し、前記両出口３ａ，４ａを経てコレクター９に収容されるのである。
【００１３】
本考案は前記した実施例や実施態様に限定されず、実用新案登録請求の範囲および範囲を逸脱せずに種々の変形を含む。
【産業上の利用可能性】
【００１４】
本考案は、野菜，果物等の破砕器に利用される。
【図面の簡単な説明】
【００１５】
【図１】本考案の一実施例の全体斜視図である。
【図２】図１の上半部の分解斜視図である。
【図３】図１の下半部の分解斜視図である。
【図４】図１のＸ４−Ｘ４の要部拡大鉛直断面図である。
【符号の説明】
【００１６】
Ａ  野菜，果物等の材料
１  本体
２  駆動接続端部
３  周壁
３ａ  出口
３ｂ  排液口
４  処理室壁
４ａ  出口
５  回転体
５ａ  グレイター
５ｂ  皿体
６  カバー
６ａ  供給口
６ｂ  内壁
６ｃ  出口部
７  供給トレイ
８  プッシャー
９  コレクター
１０  排液パイプ
１１  排液受け
【図１】
0003102475.tif 000003
【図２】
0003102475.tif 000004
【図３】
0003102475.tif 000005
【図４】
0003102475.tif 000006
(57)【要約】      （修正有）【課題】波動や水泡を利用して、より魚が魅了される釣り用ルアーを提供する。【解決手段】本考案における釣り用ルアーは、釣糸を結ぶ側の口部をラッパ状にした。【効果】本考案の釣り用ルアーは、より大きな波動と多くの水泡を生み出すので、食物連鎖で優位にたつ魚は水面で暴れる魚、例えば怪我をした魚だと思うので、従来の釣り用ルアーよりも魅了される確率が高くなる。また、大きな波動と多くの水泡は遠くにいる魚も魅了させることが出来る。【選択図】図２
0003102480.tif 000002
【実用新案登録請求の範囲】
【請求項１】
ルアーの釣糸を結ぶ側の口部Ａがラッパ状である釣り用ルアー
【考案の詳細な説明】
【技術分野】
【０００１】  本考案は魚を誘う道具で釣り具に係るものである。
【背景技術】
【０００２】  従来の釣り用ルアーは、ルアーの口部がルアーの頭と同じ大きさであるか、先細りしている。
【考案が解決しようとする課題】
【０００３】  魚を釣るためには、釣り用ルアーによる魚へのアピールが重要である。魚の種類によっては、波動や水泡を獲物だと思い、釣り用ルアーに魅了される。従来のものであると、その波動や水泡が少なく、魚が釣り用ルアーに魅了される確率が低くなる虞があった。
【０００４】  本考案は、従来の技術の有するこの様な問題点に鑑みてなされたものであり、その目的とするところは、波動や水泡を利用して、より魚が魅了される釣り用ルアーを提供しようとするものである。
【課題を解決するための手段】
【０００５】  上記目的を達成するために、本考案における釣り用ルアーは、釣糸を結ぶ側の口部Ａをラッパ状にした。
【考案を実施するための最良の形態】
【０００６】  水面で、釣り用ルアーを動かす時、釣り用リールで釣糸を巻くと、本考案の釣り用ルアーは口部Ａで水を受け、空気を水中に入れ込むことに、より大きな波動と多くの水泡を生み出す。
【考案の効果】
【０００７】  本考案の釣り用ルアーは、より大きな波動と多くの水泡を生み出すので、食物連鎖で優位にたつ魚は水面で暴れる魚、例えば怪我をした魚だと思うので、従来の釣り用ルアーよりも魅了される確率が高くなる。また、大きな波動と多くの水泡は遠くにいる魚も魅了させることが出来る。
【図面の簡単な説明】
【図１】本考案の釣り用ルアーの正面図である。
【図２】本考案の釣り用ルアーの右側面図である。
【図３】本考案の釣り用ルアーの背面図である。
【図４】本考案の釣り用ルアーの平面図である。
【図５】本考案の釣り用ルアーの右側面断面図である。
【図６】従来の釣り用ルアーの右側面図である。
【符号の説明】
Ａ  本考案のラッパ状の口部
Ｂ  サルカン
Ｃ  錘
Ｄ  針金
Ｅ  切断線
【図１】
0003102480.tif 000003
【図２】
0003102480.tif 000004
【図３】
0003102480.tif 000005
【図４】
0003102480.tif 000006
【図５】
0003102480.tif 000007
【図６】
0003102480.tif 000008
(57)【要約】【課題】スライドファスナーの表面又は裏面を覆う布に対し、スライダーの移動の際に、該布がフランジとファスナーエレメントの間に噛み込まれるのを解決する。【解決手段】スライドファスナーの表面又は裏面を覆う布を、スライダーのフランジとファスナーエレメントの間に該布を噛み込まないように、噛み込む直前で該布を妨げるブロックを設けた。【選択図】図１
0003102477.tif 000002
【実用新案登録請求の範囲】
【請求項１】
スライダーのフランジの外側に位置し各ファスナーエレメントと一体化したブロックをそれぞれ設け、嵌合又は開放時にスライダーのフランジとファスナーエレメントとの間に覆い布を噛み込まない構造を有するスライドファスナー。
【請求項２】
スライダーのフランジの外側に位置し各ファスナーエレメントと分離され独立したブロックをそれぞれ設け、嵌合又は開放時にスライダーのフランジとファスナーエレメントとの間に覆い布を噛み込まない構造を有するスライドファスナー。
【考案の詳細な説明】
【技術分野】
【０００１】  本考案は、スライドファスナーの嵌合又は開放時に、スライドファスナーの覆い布を、噛み込まない構造を有するスライドファスナーに関するものである。
【背景技術】
【０００２】  スライドファスナーは、スライダーを移動させることにより容易に嵌合又は開放を行うことが出来る利点があり、各種洋服、各種バッグ、各種靴、各種手袋等に広く実用に共されている。
実用のスライドファスナーは上記利点を有することにより、実用上十分であった。【０００３】  しかし、スライドファスナーは、外観上の美的な観点からスライドファスナーの表面又は裏面を覆う布を有するものが多く存在する。本考案はこの覆い布を有するスライドファスナーに関するものであり、スライドファスナーの表面及び裏面とも同様の形状であるため以降の説明は主に表面のみとする。
図４（ａ）は、従来のスライドファスナーの平面図を示したものであり、図４（ｂ）はそのＤ−Ｄ断面図を示したものである。図面に示した通りスライダー５を移動させ、嵌合及び開放を行った際、フランジ６とファスナーエレメント３との間に覆い布７が、布７’のように噛み込まれ、スライダー５の移動が困難となる不具合がしばしば発生する欠点がある。当然ながら、覆い布を設けた個所は全て、即ちスライドファスナーの表面及び裏面とも、この不具合が発生する可能性があるという欠点がある。【０００４】  スライドファスナーを実用する上で、この欠点は大きな障害である。【０００５】  従来から、この改善策は存在しなかった。
【考案の開示】
【考案が解決しようとする課題】
【０００６】  解決しようとする問題点は、スライドファスナーの表面又は裏面を覆う布をスライダーがフランジとエレメントとの間に噛み込み、スライダーの移動が困難となる点である。
【課題を解決するための手段】
【０００７】  スライドファスナーは、そのファスナーエレメントが金属製のものや合成樹脂製のもの等多種あり、それぞれ嵌合の構造も若干異なるが、本考案の改善策はその全てに応用がきくため、本考案は代表的な一種類についてのみ説明するものである。【０００８】  この一つの改善策として、図１（ａ）の平面図及びそのＡ−Ａ断面図である図１（ｂ）に示した通り、ファスナーエレメント３と一体化したブロック４をフランジ６の外側に設ける。スライダー５を移動させた際、このブロック４がフランジ６とファスナーエレメント３との間に覆い布７が噛み込まれるのを妨げる働きをすることを特徴とする。【０００９】  もう一つの改善策としては、図２（ａ）又は図３（ａ）の平面図及び、それぞれのＢ−Ｂ断面図、図２（ｂ）又はＣ−Ｃ断面図、図３（ｂ）に示した通り、ファスナーエレメント３とは一体化せず独立したブロック４をファスナーエレメント３の延長上の同列に設けるか、又はファスナーエレメント３の延長上の同列からはずれた近くの位置に設ける。
スライダー５を移動させた際、このブロック４がフランジ６とファスナーエレメント３との間に覆い布７が噛み込まれるのを妨げる働きをすることを特徴とする。
【考案の効果】
【００１０】  このような構造に改善したから、スライダー５を移動させ、嵌合及び開放を行った際、ブロック４の働きにより、覆い布７がフランジ６とファスナーエレメント３との間に噛み込まれるという不具合が皆無となる効果がある。
【産業上の利用可能性】
【００１１】  各種洋服、各種バッグ、各種靴、各種手袋等、本考案を実施する適用範囲は広い。
【図面の簡単な説明】
【００１２】
【図１】（ａ）本考案のスライドファスナーの平面図である。（請求項１）  （ｂ）本考案のスライドファスナーのＡ−Ａ断面図である。（請求項１）
【図２】（ａ）本考案のスライドファスナーの平面図である。（請求項２）  （ｂ）本考案のスライドファスナーのＢ−Ｂ断面図である。（請求項２）
【図３】（ａ）本考案のスライドファスナーの平面図である。（請求項２）  （ｂ）本考案のスライドファスナーのＣ−Ｃ断面図である。（請求項２）
【図４】（ａ）従来のスライドファスナーの不具合を説明した平面図である。  （ｂ）従来のスライドファスナーの不具合を説明したＤ−Ｄ断面図である。
【符号の説明】
【００１３】１        スライドファスナー
２        ファスナーテープ
３        ファスナーエレメント
４        ブロック
５        スライダー
６        フランジ
７        説明のため一部破断した覆い布
７’      噛み込まれた覆い布
８        覆い布をスライドファスナーに縫い付けた縫い目
Ａ−Ａ    断面指示線
Ｂ−Ｂ    断面指示線
Ｃ−Ｃ    断面指示線
Ｄ−Ｄ    断面指示線
【図１】
0003102477.tif 000003
【図２】
0003102477.tif 000004
【図３】
0003102477.tif 000005
【図４】
0003102477.tif 000006
(57)【要約】【課題】工作機械の旋盤における回転部品のダスト除けカバーの構造を提供する。【解決手段】主にバネ１０に係り、該バネ１０の外層表面を弾性のプラスチック素材２０で覆い、圧縮することで適正なサイズに形成し、回転部品を覆い、ダスト、屑などによる妨害を防止し、回転部品が正常に運転することを保持し、且つ該回転部品の中のボールが磨耗により型の中へ落ちて入り込んでしまうことを防止し、ボールが型を破壊してしまうことを阻止し、よって型全体を保護し、確実に産業利用価値のある考案に相当するものである。【選択図】        図１
0003102471.tif 000002
【実用新案登録請求の範囲】
【請求項１】
バネを含み、該バネの外層表面を弾性のプラスチック素材で覆い、圧縮することで適正なサイズに形成し、回転部品を覆い、ダストなどによる妨害を防止し、回転部品が正常に運転することを保持し、
且つ該回転部品の中のボールが磨耗により型の中へ落ちて入り込んでしまうことを防止し、ボールが型を破壊してしまうことを阻止し、
よって型全体を保護することを特徴とする回転部品のダスト除けカバーの構造。
【考案の詳細な説明】
【技術分野】
【０００１】
本考案は特に型を保護し、回転部品が正常運転及び順調に作動するように、工作機械の旋盤における回転部品のダスト除けカバーの構造に関わる。
主にバネを主体とし、該バネの外層表面を弾性のプラスチック素材で覆い、及び圧縮して適正なサイズに形成したものを、回転部品をカバーするように設けると屑、ダストなどの妨害を防止する効果を達成し、回転部品は正常に作動することを維持できる。
【背景技術】
【０００２】
公知の市場に出回っている構造は、回転部品にダスト除けカバーが設けられておらず、回転部品は型の中で露出する状態となっており、ダスト、屑、埃が回転部品へ入り込み、及び回転部品の中のボールが型の中へ進入し、回転部品が正常に作動することに影響があり、スムーズに作動しなくなってしまい、生産効率にも影響がでてくるため、市場での競争率も低くなり、工業生産価値も満たさない。
【考案の開示】
【考案が解決しようとする課題】
【０００３】
上述公知の構造の欠点を解決するため数々の実験、研究を通して、産業利用性を具え、且つ順調に作業を進めることができるため、工作機械の旋盤における回転部品のダスト除けカバーの構造を提供することを課題とする。
【特許文献１】特開２００３−００４０８４号公報
【課題を解決するための手段】
【０００４】
上記課題を解決するため、図１から図４に示すように、本考案は工作機械の旋盤における回転部品のダスト除けカバーの構造を提供する。
それは、主にバネ１０に係り、弾性のプラスチック素材２０で該バネ１０の外層表面を覆い、圧縮形成することにより適正なサイズのカバー体となり、回転部品のカバーとなる。
該回転部品はガイドピラー３０、ガイドブッシュ４０を含み、該ガイドブッシュ４０内にボールリテイナー５０を具有し、屑、ダストなどが作業を妨害することを防止することができ、回転部品が正常に作動しつづけることができる目的を達成する。
すなわち、本考案の回転部品のダスト除けカバーの構造は、
バネを含み、該バネの外層表面を弾性のプラスチック素材で覆い、圧縮することで適正なサイズに形成し、回転部品を覆い、ダストなどによる妨害を防止し、回転部品が正常に運転することを保持し、
且つ該回転部品の中のボールが磨耗により型の中へ落ちて入り込んでしまうことを防止し、ボールが型を破壊してしまうことを阻止し、
よって型全体を保護することを特徴とする。
【考案の効果】
【０００５】
本考案は、ダスト、屑が回転部品に進入することを防ぎ、且つボールが磨耗により落ちてしまうことを防ぐ目的を達成した。
【考案を実施するための最良の形態】
【０００６】
図１から図４に示すように、本考案を組み立てについて、上述の部品を組合せることに係り、組み立ては非常に簡単且つ迅速に行え、本考案のダスト除けカバーは一体成型であるため、製造過程においても非常に早く製造することが可能であるため、迅速に全体を組合せることが出来るものである。
【０００７】
本考案の使用について、本考案のダスト除けカバーは圧縮することにより適正なサイズに形成されており、該回転部品をダスト除けカバーで覆う。
【０００８】
本考案は回転部品が型をプレスする過程において、屑などにより妨害されて作業を中断しなくてはならないことを避け、回転部品が正常に作動することを保持し、且つ該回転部品の中のボールが磨耗により型へ落ちてしまい、型を破壊してしまうことを阻止し、型を完全に保護する。
【０００９】
この他に、該回転部品へ本考案を取り付けることで全体的美観をも具有し、更に製品の付加価値をも増加し、市場競争力もアップするので、本考案は産業生産価値を具有するものである。
【産業上の利用可能性】
【００１０】
下記は本考案の優れた点である。
１．回転部品を保護し、作動をスムーズにさせるだけでなく、優れた美観性も具えるものである。
２．一体成型であるため、迅速に、大量に生産することができ、経済的効果を高めるものである。
３．構造は簡単であり、組合せも迅速に行えるものである。
４．経済的効果を高めるため工業生産価値を具えるものである。
５．製造コストを大幅にダウンし、生産利益を高め、市場での競争率も高めるものである。
【図面の簡単な説明】
【００１１】
【図１】本考案の立体分解図である。
【図２】本考案の組合せ断面図である。
【図３】本考案の組合せ断面図である。
【図４】本考案の実施状態を示す図である。
【符号の説明】
【００１２】
１０    バネ
２０    プラスチック素材
３０    ガイドピラー
４０    ガイドブッシュ
５０    ボールリテイナー
【図１】
0003102471.tif 000003
【図２】
0003102471.tif 000004
【図３】
0003102471.tif 000005
【図４】
0003102471.tif 000006
(57)【要約】      （修正有）【課題】キャップの下端に加工を施し特に複数本のびんを持ち上げる際に手指のけがを防止する包装用びんのキャップを提供する。【解決方法】キヤップのびん口部の装着部の下端を内方へ曲成又は円弧状に形成した。【選択図】図１
0003102476.tif 000002
【実用新案登録請求の範囲】
【請求項１】
キヤップ本体のびん口部への装着部の下端を内方へ曲成又は円弧状にして成る包装用びんのキヤップ。
【考案の詳細な説明】
【技術分野】
【０００１】  本考案は、ビールびん、飲料水びん其他の包装用びんのキヤップに関するものである。
【背景技術】
【０００２】  従来における包装用びんのキヤップは図５，６に示す如くキヤップ１０の周側面に形成されたびんの本体の口部１３に密着する装着部１１の下部１２はとがっている。【０００３】  このため図７の如く複数本のびんを持ち上げるとき、キヤップ１０の装着部１１のとがった下部端１２が手指１４にくい込み、けがするおそれがある。
若しもけがすると、びんは倉庫及び軒下等で裸ケースで保管されているため雑菌が付着しており、重大なる事故につながり、所謂ＰＬ法の関係でも改善が要望されている。
【考案の開示】
【考案が解決しようとする課題】
【０００４】  本考案は、びん口部への装着と開栓は従来品と同様であると共に特に複数本のびんを持ち上げる際に手指をけがしないように改良したものである。
【課題を解決するための手段】
【０００５】  本考案は、キヤップのびん口部への装着部の下端を内方へ曲げたり又は円弧状に形成し、従来品の欠点を解決している。
【考案の効果】
【０００６】  本考案は、キヤップのびん口部への装着部の下端を内方へ曲げたり又は円弧状に形成したので、特に複数本のびんを持ち上げるとき、手指のけがを防止できる。
【実施例】
【０００７】  以下、本考案の実施例を添付図面で説明する。
図１，２はその一実施例を示し、１はキヤップ本体でびん口部への装着部２の下端３を内方へ曲成している。【０００８】    図３，４はその別実施例を示し、キッヤプ本体１のびん口部への装着部２の下端３を円弧状に曲成している。
【図面の簡単な説明】
【０００９】
【図１】本考案の包装用びんの一実施例を示す斜視図である。
【図２】本考案の包装用びんのキッヤプの一実施例を示す一部切欠の断視部である。
【図３】本考案の別実施例を示す斜面図である。
【図４】本考案の別実施例を示す一部切欠の断面図である。
【図５】従来品のキヤップの斜視図である。
【図６】その一部切欠の断視図である。
【図７】従来品のキヤップの付いた包装用びんを持ち上げた状態の斜視図である。
【符号の説明】
【００１０】１    キヤップ本体
２    びん口部への装着部
３    装着部の下端
【図１】
0003102476.tif 000003
【図２】
0003102476.tif 000004
【図３】
0003102476.tif 000005
【図４】
0003102476.tif 000006
【図５】
0003102476.tif 000007
【図６】
0003102476.tif 000008
【図７】
0003102476.tif 000009
(57)【要約】【課題】本考案は、荷役用レジューサーを船側配管の接続場所で人手を介さず保持できる装置を提供するものである。【解決手段】船側配管が架台によって支持された液体貨物運搬船において、荷役用レジューサー取付装置を架台に固定する爪、レジューサーが脱落することを防止する爪、レジューサーの位置決めが出来るライナーとが設けられたものである。【選択図】図1
0003102490.tif 000002
【実用新案登録請求の範囲】
【請求項１】
架台にて支持されたマニホールドを有し、荷役用レジューサーを用いて船側配管と基地側配管とを接続する液体貨物運搬船において、荷役用レジューサーを船側配管に接続する為に、接続場所で保持することが出来る装置。
【考案の詳細な説明】
【技術分野】
【０００１】
本考案は、荷役用レジューサーを使用し荷役を行う液体貨物運搬船に関する。
【背景技術】
【０００２】
図3は、一般的な液体貨物運搬船マニホールドの側面図を示す。荷役用レジューサー8は、上甲板5上に固定された架台6により支持された配管7にボルト接合により接続される。
【０００３】
このため、荷役用レジューサー8を配管7にボルト接合する間、荷役用レジューサー8を接続する際に人間が手で保持しなければならない。
【考案の開示】
【考案が解決しようとする課題】
【０００４】
本考案は、上記に鑑み、荷役用レジューサー8を配管7の接続場所で人手を介さず保持できる装置を提供するものである。
【課題を解決するための手段】
【０００５】
本考案による課題解決手段は、図1のように配管7が架台によって支持された液体貨物運搬船において、荷役用レジューサー取付装置を架台に固定する爪2、レジューサーが脱落することを防止する爪3、荷役用レジューサーの上下方向の位置決めが出来るライナー4とが設けられたものである。
【考案の効果】
【０００６】
本考案によると、荷役用レジューサー取付装置を使用することにより、重いレジューサーを人間の手で保持すること無く取り付けができ、また装置が外れることは無いため安全に作業を行える。
【０００７】
また、倉庫内で保管できるため、腐食の心配が少なく、耐用年数が長い。
【考案を実施するための最良の形態】
【０００８】
考案の実施の形態について図面を参照して説明する。図1に示す爪2を架台に引っ掛ける形で固定し、ライナー4で船側配管と荷役用レジューサーの高さを合わせ、荷役用レジューサーを装置に引っ掛ける。
【０００９】
また、爪3を有しているので荷役用レジューサーが滑り落ちることは無い。
【００１０】
荷役用レジューサーを吊り下げた後は、荷役用レジューサーの自重により荷役用レジューサー取付装置が固定され、装置が架台から外れることは無い。
【００１１】
船側配管に荷役用レジューサーを取り付けた後は、装置を外しておけばフランジ間へのガスケットの取り付け、フランジ結合箇所の気密試験等の邪魔にならない。
【００１２】
また、本考案の荷役用レジューサー取付装置は非常に軽量かつ小型である為、容易に持ち運びが出来、倉庫内に片づけ出来る。船上の装置であるので、暴露甲板に置いておくものと比較し、倉庫内で保管できるため腐食の進行を抑えることが出来る。
【００１３】
なお、本考案は、上記実施例に限定されるものではなく、本考案の範囲内で上記実施の形態に多くの修正および変更を加え得ることは勿論である。
【図面の簡単な説明】
【００１４】
【図１】荷役用レジューサー取付装置のレジューサー保持状態を示す側面図。
【図２】荷役用レジューサー取付装置の正面図及び側面図。
【図３】従来の液体貨物運搬船マニホールドの側面図。
【符号の説明】
【００１５】
2 荷役用レジューサー取付装置を固定する為の爪。
3 レジューサーが滑り落ちないようにする為の爪。
4 レジューサーの上下方向の位置決めをする為のライナー。
【図１】
0003102490.tif 000003
【図２】
0003102490.tif 000004
【図３】
0003102490.tif 000005
(57)【要約】  【課題】  一筆書きにより略同形の２個の矩形をずらして重ね合わせた形状に棒鋼を折り曲げて構成した剪断補強筋の強度を増大する。  【解決手段】  本考案に係る剪断補強筋１は、一筆書きにより略同形の２個の矩形をずらして短辺の一部をそれぞれ重ね合わせた目の字の形状に棒鋼を折り曲げその棒鋼の両端を突き合わせて溶接する。また、この剪断補強筋１は、前記棒鋼の溶接部を矩形の外側に位置する長辺部の中間とすることが好ましい。このように構成された剪断補強筋１は端部のない閉鎖型であるため、ＲＣ構造物としての強度が増す。【選択図】  図１
0003102488.tif 000002
【実用新案登録請求の範囲】
【請求項１】
一筆書きにより略同形の２個の矩形をずらしてその短辺の一部をそれぞれ重ね合わせた形状に棒鋼を折り曲げその棒鋼の両端を突き合わせて溶接したことを特徴とする剪断補強筋。
【請求項２】
請求項１に記載の剪断補強筋において、
前記棒鋼の溶接部を矩形の外側に位置する長辺部の中間としたことを特徴とする剪断補強筋。
【考案の詳細な説明】
【技術分野】
【０００１】
本考案は、ＲＣ構造物（鉄筋コンクリート構造物）の柱、梁等に埋設される長手方向の主鉄筋（以下主筋という）に取り付けられる外周筋と中子筋とを連続一体に組み合わせて構成された剪断補強筋に関し、詳しくは一筆書きにより２個の矩形をずらして重ね合わせた目の字形状に棒鋼を折り曲げその棒鋼の両端を突き合わせて溶接して閉鎖型とした剪断補強筋に関する。
【背景技術】
【０００２】
従来、剪断補強筋としては、特許文献１に記載のものがある。
【特許文献１】特開平１０−１５２９４２号公報
【考案の開示】
【考案が解決しようとする課題】
【０００３】
しかし、先の阪神・淡路大震災の発生後は、耐震基準の見直しがなされ、ＲＣ構造物の柱、梁の主筋部分に取り付けられる剪断補強筋についても、溶接閉鎖型とするように求められている。そこで、本考案は、一筆書きにより略同形の２個の矩形をずらして重ね合わせた形状に棒鋼を折り曲げて構成した剪断補強筋を、その棒鋼の両端部を突き合わせて溶接して閉じることにより閉鎖型とすることを目的とした。
【課題を解決するための手段】
【０００４】
上記課題を解決するために、本考案に係る剪断補強筋は、一筆書きにより略同形の２個の矩形をずらしてその短辺の一部をそれぞれ重ね合わせた形状に棒鋼を折り曲げその棒鋼の両端を突き合わせて溶接したことを特徴とする。また、本考案に係る剪断補強筋は、前記棒鋼の溶接部を矩形の外側に位置する長辺部の中間としたことを特徴とする。
【考案の効果】
【０００５】
以上述べたように本考案に係る剪断補強筋は、一筆書きにより略同形の２個の矩形をずらしてその短辺の一部をそれぞれ重ね合わせた形状に棒鋼を折り曲げその棒鋼の両端を突き合わせて溶接したことで、剪断補強筋を構成する棒鋼の両端が閉鎖されてＲＣ構造物としての強度が増大するとともに、中子筋と外周筋が一体化されているため現場での施工の容易性も確保される。
【考案を実施するための最良の形態】
【０００６】
以下、図に基づいて本考案の実施形態を説明する。
図１は本考案に係る剪断補強筋の形状を示す上面図である。図示されるように、本考案に係る剪断補強筋１は、一筆書きにより略同形の２個の矩形をずらして短辺の一部をそれぞれ重ね合わせて目の字の形状になるように、８箇所で棒鋼を折り曲げ、その棒鋼の両端を突き合わせて、その突き合わせ位置２を溶接したものである。前記矩形の長辺の長さは、柱の四隅の主筋３〜６からなる長方形の各辺と略等しい長さである。突き合わせ位置２は、主筋３，６を結ぶ辺の略中間となる位置としている。
【０００７】
このように構成された剪断補強筋１は、現場では、立設されている主筋３〜６および主筋７〜１０の外側に上方から挿入される。その結果、主筋３〜６および主筋７〜１０の外側に位置する部分は外周筋として機能し、主筋７〜１０の位置で内側に折曲されている部分は中子筋として機能する。これら外周筋の部分も中子筋の部分も完全に閉じられて閉鎖型とされているため、ＲＣ構造物としての強度が増大する。
【産業上の利用可能性】
【０００８】
本考案は、一筆書きにより略同形の２個の矩形をずらして短辺の一部をそれぞれ重ね合わせて目の字の形状をした剪断補強筋以外に、一筆書きにより矩形を複数組み合わせて構成される他の形状の剪断補強筋についても、それを構成する棒鋼の両端を突き合わせ溶接することで本考案と同様な効果を得ることができる。
【図面の簡単な説明】
【０００９】
【図１】本考案に係る剪断補強筋の形状を示す上面図である。
【符号の説明】
【００１０】
１  剪断補強筋
２  突き合わせ位置
３〜１０  主筋
【図１】
0003102488.tif 000003
(57)【要約】【課題】  作業上困難な形態の面状物であっても、これを容易かつ安全にに着磁させられるようなコンパクトな着磁用具を提供する。【解決手段】  下底部に永久磁石１を配置し、上部に把手２を形成して、全体形状が略アイロン鏝状になるようにし、使用しないときには必要に応じ底面に緩衝板３を付着させる。【選択図】    図２
0003102482.tif 000002
【実用新案登録請求の範囲】
【請求項１】
下底部に永久磁石が配置され、上部に把手が形成された、略アイロン鏝状体から成ることを特徴とする着磁用具。
【考案の詳細な説明】
【技術分野】
【０００１】  この考案は、シート状の磁性体を着磁させる用具に関する。
【背景技術】
【０００２】  過激な運動や疾患などによって生じる体の痛みや炎症などを緩和させるために磁気がある程度の作用効果を発揮することは既に様々な方面で実証されており、そのための磁気絆や磁気バンド等の商品も既によく知られている。ただこれらの在来商品は点又は線状に人体に当てるものであるために、その作用効果も限定的であった。【０００３】  そこで必要とされる人体の患部に磁気を面状に作用させるために、本考案者は予め磁性体粉末を配合したシート状物を作成してこれを患部に貼付し、しかる後にこれを着磁する手段を既に提案し出願している。【０００４】  その磁性体粉末は例えばフェライト粉末であり、これを大量に混合した軟膏状ジェル剤をガーゼ等に塗布してこれを人体にテープ止めして後、その上から強力な磁石を当てがって着磁すれば、以後、長時間にわたって面状に磁気が患部に作用することになる。
【考案の開示】
【考案が解決しようとする課題】
【０００５】  そのような場合において、実際に着磁するには磁石のもつ磁気を最も扱い易いかたちで安全かつ効率的に生身の人体に対して作用させられるようなものである必要がある。本考案はかかる要請に応じられるような着磁用具を提供することを課題とする。
【課題を解決するための手段】
【０００６】  下底部に永久磁石１を配置し、上部に把手２を形成して、全体形状が略アイロン鏝状になるようにする。【０００７】  従ってその底面は自ずから平坦状となり、把手２はその上方にアーチないし架橋状に設けられることになる。或いは必ずしも架橋していなくても、片側から立ち上げて横に延ばし把握部が永久磁石１の上に形成されるようにした形態の把手２でもよい。【０００８】  使われる永久磁石１はなるべく強力かつ耐久性があり、かつ小形軽量化できるものが好ましい。その点、コストは上がるものの、鉄系のものよりネオジウム系のものの方が適している。【０００９】  但し、永久磁石１の磁力が強力であると、磁気カードその他の磁気媒体製品の機能を損なったり、或いは鉄などを強力に付着させ剥離が困難になるなどの憂いがあるから、必要に応じ例えば鉄板３Ａを埋め込んだスポンジ板からなるような緩衝板３を、使わないときの底面に付着させておくことが好ましい。
【考案の効果】
【００１０】  本考案の着磁用具はアイロン鏝のような形状をなしているので、必然的にアイロンがけのような作業には甚だ適したものとなる。従ってその底面に磁石が配置されている場合、磁性体のシート状物を磁化させるにあたって丁度アイロンがけの要領で作業すればよいから、甚だ操作が楽で安全であり、これによってそのシート状物が人体などに貼付されているようなやや困難な場所にあっても、何ら支障なくその作業を進めることができる。【００１１】  従って、例えば最近開発された磁性体の消炎鎮痛用貼付材を人体に貼付した後であっても、これを着磁して所期の目的を容易に達成できるなどの効果がある。
【考案を実施するための最良の形態】
【００１２】  本考案の最良の形態は、アイロン鏝に類似した形状（但し先端は特に尖らせる必要はない）である限り、できるだけ軽量かつ小形であって、しかも強力かつ耐久的な磁力を有しているものである。具体的には、ネオジウム系磁石を使えば、約４０００ガウスの磁力を有する手の平サイズのものを容易に制作することが可能である。
【実施例】
【００１３】  縦約８ｃｍ、横約１２ｃｍ、厚さ約２ｃｍの直方体ステンレス製中空体の内部に約４０００ガウスのネオジウム磁石を収納し、その上面に図面のような幅約２ｃｍの装飾板金からなる把手を斜めに架橋形成する。【００１４】  上記のような着磁用具を、予め身体に貼付されたフェライト粉末入りジェル剤付きガーゼの上からゆっくり滑らせるようにして当てたところ、その全体が直ちに面状に着磁し、痛み緩和などの所期目的を甚だ楽な操作で安全に達成できることが明らかになった。
【産業上の利用可能性】
【００１５】  本考案の着磁用具は既に営業仕様のものが試作完了して量産も可能であり、特に消炎鎮痛方面のニーズが高く使用感も良好なことから、産業上の利用可能性は十分である。
【図面の簡単な説明】
【００１６】
【図１】本考案一例の見取図
【図２】本考案一例の断面図
【符号の説明】
【００１７】１……永久磁石
２……把手
３……緩衝板
３Ａ……鉄板
【図１】
0003102482.tif 000003
【図２】
0003102482.tif 000004
(57)【要約】      （修正有）【課題】手間の掛からない男性性器勃起補強具を提供する。【解決手段】伸縮する輪１を保護膜を付けた連結棒２で連結する。【選択図】図１
0003102481.tif 000002
【実用新案登録請求の範囲】
【請求項１】
伸縮する輪１を、保護膜を付けた連結棒２で連結する、男性性器勃起補強具。
【考案の詳細な説明】
【技術分野】
【０００１】  本考案は、伸縮する輪を保護膜を付けた連結棒で連結した、男性性器勃起補強具に関するものである。
【背景技術】
【０００２】  従来、男性性器を圧縮空気で包むもの等があったが、どれも手間が掛かり不便であった。
【考案の開示】
【考案が解決しようとする課題】
【０００３】  本考案は、手間の掛からない男性性器勃起補強具を開発しようとするものである。
【課題を解決するための手段】
【０００４】  解決手段は、伸縮する輪１を、保護膜を付けた連結棒２で連結する。
【考案の効果】
【０００５】  手間の掛からない、効果満点の男性性器勃起補強具である。
【考案を実施するための最良の形態】
【０００６】  本考案は、伸縮する輪１を、保護膜を付けた連結棒２で連結する構造です。使用方法は、片方の輪１からもう一方の輪１まで連結棒に沿って男性性器を挿入する。使用時、本補強具全体をコンドームで装着することも出来る。
【図面の簡単な説明】
【０００７】
【図１】  本考案の正面図
【図２】  本考案の上からの図
【符号の説明】
【０００８】  １は伸縮する輪
２は保護膜を付けた連結棒
【図１】
0003102481.tif 000003
【図２】
0003102481.tif 000004